(57)【要約】【課題】  本発明は、放送コンテンツについて、利用者の興味のある番組又はシーンのみを短時間だけ視聴することができる通信放送融合型端末及びそのプログラムを提供する。【解決手段】  端末１と、放送サーバ２と、通信サーバ３とを有するシステムであって、端末１は、利用者の嗜好情報を通信サーバ３へ送信する手段と、少なくともチャネル番号が指定されたコマンドを通信サーバ３から受信する手段と、コマンドに基づいて、該チャネル番号に相当する放送コンテンツを受信し且つ表示するように制御する手段とを更に有し、通信サーバ３は、放送サーバ２から受信した放送コンテンツと、端末１から受信した嗜好情報とが一致するか否かを判定する手段と、一致した際に、放送コンテンツに相当するチャネル番号が指定されたコマンドを、端末１へ送信する手段とを更に有する。【選択図】  図１
2005072946.tif 000002
【特許請求の範囲】
【請求項１】
放送コンテンツを放送する手段を有する放送サーバと、
前記放送コンテンツを受信する手段を有する通信サーバと、
前記放送コンテンツを受信する手段と、該放送コンテンツを表示する手段と、前記通信サーバと通信する通信手段とを有する端末と
を有するシステムであって、
前記端末は、利用者の嗜好情報を前記通信サーバへ送信する手段と、少なくともチャネル番号が指定されたコマンドを前記通信サーバから受信する手段と、前記コマンドに基づいて、該チャネル番号に相当する前記放送コンテンツを受信し且つ表示するように制御する手段とを更に有し、
前記通信サーバは、前記放送サーバから受信した前記放送コンテンツと、前記端末から受信した前記嗜好情報とが一致するか否かを判定する手段と、一致した際に、前記放送コンテンツに相当するチャネル番号が指定された前記コマンドを、前記端末へ送信する手段とを更に有することを特徴とするシステム。
【請求項２】
前記コマンドには、前記放送コンテンツの表示時間及び／又は表示条件が指定されていることを特徴とする請求項１に記載のシステム。
【請求項３】
前記コマンドは、電子メール、ショートメッセージシステム又はＴＣＰ若しくはＵＤＰソケットのプッシュ型配信の内容に含まれることを特徴とする請求項１又は２に記載のシステム。
【請求項４】
前記端末は、
前記コマンドを受信した時から前記放送コンテンツの表示が可能となる時まで、前記コマンドによって指定されたチャネル番号に相当する前記放送コンテンツを蓄積する手段と、
前記放送コンテンツの表示が可能となった際に、前記蓄積された放送コンテンツから表示するように制御する手段と
を更に有することを特徴とする請求項１から３のいずれか１項に記載のシステム。
【請求項５】
放送サーバから放送コンテンツを受信する手段と、該放送コンテンツを表示する手段と、通信サーバと通信する通信手段とを有する端末であって、
利用者の嗜好情報を前記通信サーバへ送信する手段と、少なくともチャネル番号が指定されたコマンドを前記通信サーバから受信する手段と、前記コマンドに基づいて、該チャネル番号に相当する前記放送コンテンツを受信し且つ表示するように制御する手段とを更に有することを特徴とする端末。
【請求項６】
前記コマンドには、前記放送コンテンツの表示時間及び／又は表示条件が指定されていることを特徴とする請求項５に記載の端末。
【請求項７】
前記コマンドは、電子メール、ショートメッセージシステム又はＴＣＰ若しくはＵＤＰソケットのプッシュ型配信の内容に含まれることを特徴とする請求項５又は６に記載の端末。
【請求項８】
前記コマンドを受信した時から前記放送コンテンツの表示が可能となる時まで、前記コマンドによって指定されたチャネル番号に相当する前記放送コンテンツを蓄積する手段と、
前記放送コンテンツの表示が可能となった際に、前記蓄積された放送コンテンツから表示するように制御する手段と
を更に有することを特徴とする請求項５から７のいずれか１項に記載の端末。
【請求項９】
放送サーバから放送コンテンツを受信する手段と、該放送コンテンツを表示する手段と、通信サーバと通信する通信手段とを有する端末におけるプログラムであって、
利用者の嗜好情報を前記通信サーバへ送信する手段と、少なくともチャネル番号が指定されたコマンドを前記通信サーバから受信する手段と、前記コマンドに基づいて、該チャネル番号に相当する前記放送コンテンツを受信し且つ表示するように制御する手段としてコンピュータを機能させることを特徴とするプログラム。
【請求項１０】
前記コマンドには、前記放送コンテンツの表示時間及び／又は表示条件が指定されていることを特徴とする請求項９に記載のプログラム。
【請求項１１】
前記コマンドは、電子メール、ショートメッセージシステム又はＴＣＰ若しくはＵＤＰソケットのプッシュ型配信の内容に含まれることを特徴とする請求項９又は１０に記載の端末。
【請求項１２】
前記コマンドを受信した時から前記放送コンテンツの表示が可能となる時まで、前記コマンドによって指定されたチャネル番号に相当する前記放送コンテンツを蓄積する手段と、
前記放送コンテンツの表示が可能となった際に、前記蓄積された放送コンテンツから表示するように制御する手段としてコンピュータを機能させることを特徴とする請求項９から１１のいずれか１項に記載のプログラム。
【発明の詳細な説明】
【技術分野】
【０００１】
本発明は、デジタル放送を視聴するシステム、端末及びそのプログラムに関する。
【背景技術】
【０００２】
従来、放送機能と通信機能とを融合した技術として、ＷｅｂＥＰＧ（Web Electronic Program Guide：Web電子番組ガイド）がある。この技術は、ＨＴＭＬ等によって記述された電子番組表から、利用者が能動的に番組表を閲覧し、録画予約又は番組検索をすることができるようにしたものである。
【０００３】
地上デジタル放送においては、家庭用セットトップボックスによって受信される固定受信サービスに加えて、携帯電話機によって受信される携帯受信サービスが提供される予定である。特に、携帯電話機による受信については、固定受信サービスで放送されている番組の視聴は勿論のこと、携帯電話機の通信機能を活用し、高機能且つ柔軟なサービスの実現が期待されている（例えば「非特許文献１」「非特許文献２」参照）。
【０００４】
【非特許文献１】国分他、「通信放送融合のサービスシミュレーション装置の試作」、映情学技報ＭＩＰ２００２−９４、２００２年３月
【非特許文献２】磯部他、「通信放送融合のサービス試作とその評価実験」、映情学技報ＭＩＰ２００２−９５、２００２年３月
【発明の開示】
【発明が解決しようとする課題】
【０００５】
放送機能と通信機能との両方を有する携帯電話端末の場合、消費電力等の問題から、固定ＴＶのように、常時、番組を視聴をすることは困難である。従って、利用者の興味のある番組又はシーンのみを短時間だけ視聴することが望まれる。しかしながら、このような視聴を実現する技術は、現状では存在しない。
【０００６】
従って、本発明は、放送コンテンツについて、利用者の興味のある番組又はシーンのみを短時間だけ視聴することができる通信放送融合型端末及びそのプログラムを提供することを目的とする。
【課題を解決するための手段】
【０００７】
本発明は、放送コンテンツを放送する手段を有する放送サーバと、
放送コンテンツを受信する手段を有する通信サーバと、
放送コンテンツを受信する手段と、該放送コンテンツを表示する手段と、通信サーバと通信する通信手段とを有する端末とを有するシステムに関する。
【０００８】
本発明のシステムは、
端末は、利用者の嗜好情報を通信サーバへ送信する手段と、少なくともチャネル番号が指定されたコマンドを通信サーバから受信する手段と、コマンドに基づいて、該チャネル番号に相当する放送コンテンツを受信し且つ表示するように制御する手段とを更に有し、
通信サーバは、放送サーバから受信した放送コンテンツと、端末から受信した嗜好情報とが一致するか否かを判定する手段と、一致した際に、放送コンテンツに相当するチャネル番号が指定されたコマンドを、端末へ送信する手段とを更に有することを特徴とする。
【０００９】
また、本発明のシステムにおける他の実施形態によれば、コマンドには、放送コンテンツの表示時間及び／又は表示条件が指定されていることも好ましい。
【００１０】
更に、本発明のシステムにおける他の実施形態によれば、コマンドは、電子メール、ショートメッセージシステム又はＴＣＰ若しくはＵＤＰソケットのプッシュ型配信の内容に含まれることも好ましい。
【００１１】
更に、本発明のシステムにおける他の実施形態によれば、端末は、コマンドを受信した時から放送コンテンツの表示が可能となる時まで、コマンドによって指定されたチャネル番号に相当する放送コンテンツを蓄積する手段と、
放送コンテンツの表示が可能となった際に、蓄積された放送コンテンツから表示するように制御する手段とを更に有することも好ましい。
【００１２】
本発明は、放送サーバから放送コンテンツを受信する手段と、該放送コンテンツを表示する手段と、通信サーバと通信する通信手段とを有する端末に関する。
【００１３】
本発明の端末によれば、利用者の嗜好情報を通信サーバへ送信する手段と、少なくともチャネル番号が指定されたコマンドを通信サーバから受信する手段と、コマンドに基づいて、該チャネル番号に相当する放送コンテンツを受信し且つ表示するように制御する手段とを更に有することを特徴とする。
【００１４】
本発明の端末における他の実施形態によれば、コマンドには、放送コンテンツの表示時間及び／又は表示条件が指定されていることも好ましい。
【００１５】
また、本発明の端末における他の実施形態によれば、コマンドは、電子メール、ショートメッセージシステム又はＴＣＰ若しくはＵＤＰソケットのプッシュ型配信の内容に含まれることも好ましい。
【００１６】
更に、本発明の端末における他の実施形態によれば、コマンドを受信した時から放送コンテンツの表示が可能となる時まで、コマンドによって指定されたチャネル番号に相当する放送コンテンツを蓄積する手段と、
放送コンテンツの表示が可能となった際に、蓄積された放送コンテンツから表示するように制御する手段とを更に有することも好ましい。
【００１７】
本発明は、放送サーバから放送コンテンツを受信する手段と、該放送コンテンツを表示する手段と、通信サーバと通信する通信手段とを有する端末におけるプログラムに関する。
【００１８】
本発明におけるプログラムによれば、利用者の嗜好情報を通信サーバへ送信する手段と、少なくともチャネル番号が指定されたコマンドを通信サーバから受信する手段と、コマンドに基づいて、該チャネル番号に相当する放送コンテンツを受信し且つ表示するように制御する手段としてコンピュータを機能させることを特徴とする。
【００１９】
本発明のプログラムの他の実施形態によれば、コマンドには、放送コンテンツの表示時間及び／又は表示条件が指定されていることも好ましい。
【００２０】
また、本発明のプログラムの他の実施形態によれば、コマンドは、電子メール、ショートメッセージシステム又はＴＣＰ若しくはＵＤＰソケットのプッシュ型配信の内容に含まれることも好ましい。
【００２１】
更に、本発明のプログラムの他の実施形態によれば、コマンドを受信した時から放送コンテンツの表示が可能となる時まで、コマンドによって指定されたチャネル番号に相当する放送コンテンツを蓄積する手段と、放送コンテンツの表示が可能となった際に、蓄積された放送コンテンツから表示するように制御する手段としてコンピュータを機能させることも好ましい。
【発明の効果】
【００２２】
本発明における通信放送融合型端末及びそのプログラムによれば、利用者が予め嗜好情報を通信サーバに登録しておくことにより、利用者が、常時、全番組を視聴し、嗜好に合致する番組を探さなくても、サーバから通知されたときだけ視聴すれば、利用者の興味のある番組又はシーンのみを視聴することができる。尚、ＴＶだけでなく、ラジオであっても同様に機能させることができるので、自分の興味対象の音楽が流れる時だけ聴くこともできる。
【００２３】
また、利用者の興味のある番組又はシーンのみを短時間だけ視聴することができるので、携帯電話端末であっても、消費電力を問題とする必要がなくなる。
【００２４】
更に、地震等の緊急時に、通信サーバからのコマンドによって緊急ＴＶ番組への視聴に強制的に誘導することができ、リアルタイム性の高い情報を利用者が入手するためには非常に有効な方法である。
【発明を実施するための最良の形態】
【００２５】
以下では、本発明の実施形態について、図面を用いて詳細に説明する。
【００２６】
図１は、本発明によるシステム構成図である。
【００２７】
図１によれば、本発明によるシステムは、通信放送融合型端末１と、放送サーバ２と、通信サーバ３とを有する。放送サーバ２は、地上波デジタル放送局を想定しており、常に放送コンテンツを放送する。放送コンテンツとは、動画像、音声及びデータだけでなく、ＥＰＧ情報をも含む。また、通信サーバ３及び端末１は、放送サーバ１の放送コンテンツを受信する手段と、例えばインターネットのような通信網を介して通信する手段とを有する。特に、地上波デジタル放送によれば、端末１は、何れの場所及びアンテナ角度にあっても受信することができる。
【００２８】
本発明によれば、端末１は、通信サーバ３へ嗜好情報を送信し、登録することができる。利用者は、「ヤンキースで活躍する松井のホームランのシーン」を所望するならば、例えば「ヤンキース」「松井」「ホームラン」のような嗜好情報を指定して、端末１に入力することができる。端末１は、これら嗜好情報を、登録要求メッセージとして通信サーバ３へ送信する。例えば、嗜好情報をＨＴＭＬのフォームに入力することによって送信するものであってもよいし、又は嗜好情報をメールに書き込むことによって送信するものであってもよい。
【００２９】
通信サーバ３は、端末識別子と嗜好情報とからなるテーブルを有する。そのテーブルに、登録要求メッセージによって受信した端末識別子と嗜好情報とを登録する。また、通信サーバ３は、放送サーバ２から常に全ての番組の放送コンテンツを受信し続けており、併せてＷｅｂＥＰＧも受信する。そして、通信サーバ３は、その放送コンテンツと、テーブルに登録された嗜好情報とが一致するか否かについて、常にモニタリングする。
【００３０】
通信サーバ３が、例えば「ヤンキース」「松井」「ホームラン」と一致する放送コンテンツを受信した場合、以下のようなコマンドを、端末１へ送信する。
【００３１】
<command>
<switch>
<case requiredCondition="homerun">
<masssee>松井！ホームラン！</massege>
<process begin="0s">start_tv</process>
<process begin="300s">stop_tv</process>
<channel>1</channel>
</case>
<case>
<process begin="wallclock(2003/08/08 12:00:00)">start_tv</process>
<channel>3</channel>
</case>
</switch>
</command>
【００３２】
begin：所定の制御を起動する時点
channel：起動するチャンネル番号
requiredCondition：起動する条件（例えばホームラン等）
message：ＴＶ起動前にボックスにより提示するメッセージ
【００３３】
通信サーバ３は、前述のコマンドを、電子メール、ショートメッセージシステム（ＳＭＳ）、又はＴＣＰ若しくはＵＤＰソケット等に含めて送信する。このコマンドは、「何日何時何分に何チャンネルを表示する」又は「今すぐ何チャンネルを表示する」等の制御を可能とする。
【００３４】
端末１は、通信サーバ３から受信したこのコマンドを解析し、実行する（例えば、利用者に実行してもよいか否かを問い合わせるものであってもよい）。このとき、端末１は、コマンドによって指定されたチャネル番号の放送コンテンツを、指定された時間に、他の放送コンテンツよりも優先して起動し又は表示できるようにする。
【００３５】
端末１は、更に、コマンドを受信した時から放送コンテンツの表示が可能となる時まで、コマンドによって指定されたチャネル番号に相当する放送コンテンツを蓄積するのが好ましい。例えば、コマンドが「今すぐ表示する」である場合、コマンドが受信されたけれども、実際に放送コンテンツが表示可能となった時には、既に利用者が希望するシーンの直後となってしまうことが考えられるからである。また、コマンドが受信された時に閲覧を薦めるメッセージを端末の画面に表示し、利用者の確認の下で放送コンテンツを表示する場合、利用者がそのメッセージに気づかないこともあり得る。即ち、コマンドを受信した時から、コマンドで指定された一定期間、利用者が閲覧する又はしないに関わらず、指定された放送コンテンツを蓄積することは有用である。前述したコマンド例によれば、３００秒でＴＶを停止することが把握できる。このように放送コンテンツを蓄積することにより、端末１は、放送コンテンツの表示が可能となった際に、蓄積された放送コンテンツから表示するように、遡って表示することができる。
【００３６】
図２は、端末１の具体的な機能構成図である。
【００３７】
図２によれば、端末１は、ハードウェア構成として、放送サーバ１から放送コンテンツを受信するＯＦＤＭ(Orthogonal Frequency Division Multiplexing)モジュール１１と、通信サーバ３と通信する通信モジュール１２と、ビデオＲＡＭ１７と、音声ＲＡＭ１８とを有する。例えば、端末１は、組み込み機器システムを対象としたオープンな開発環境であるμiTRONベースの「T-Engine」を用いることができる。これにより、システムプロトタイピングに要する期間の短縮と、コスト低減とが可能となる。また、ＯＦＤＭモジュール１１には、放送受信用PCMCIAカード（IEEE802.11b準拠）を用い、通信モジュール１２には、通信用カードPCMCIAカード（無線LAN、PHS、CDMA）を用いることができる。ビデオＲＡＭ１７及び音声ＲＡＭ１８は、放送コンテンツを所定時間分だけ蓄積するものであってもよい。
【００３８】
図２によれば、端末１は、ソフトウェア構成として、ＯＳ１０と、通信サーバ２から受信したコマンドを解析するコマンド解析エンジン１３と、アプリケーション管理部１４と、ＴＳ（放送コンテンツ）制御部１５と、ＸＨＴＭＬ基本ブラウザ１６とを有する。
【００３９】
ＯＳ１０は、例えばリアルタイムＯＳであるT-kernel(μiTRONベース)を用いることができる。細かい時間単位でタスク制御が可能となり、受信した放送コンテンツを逐次再生しながら、通信サーバからコマンドを受信し且つ制御することが可能となる。
【００４０】
コマンド解析エンジン１３は、通信モジュール１２によって受信されたコマンドを解析する機能を有する。特に、「ＴＶを起動する時点」「起動するチャンネル番号」「起動する条件」等をコマンドから抽出し、アプリケーション管理部１４、ＴＳ制御部１５及びＸＨＴＭＬ基本ブラウザ１６へ通知する。
【００４１】
アプリケーション管理部１４は、端末全体のタスクを制御する。第１の機能として、ＯＦＤＭモジュール１１によって受信されるＴＳパケットを、一定量ずつＴＳ制御部１５へ渡し、ＸＨＴＭＬ等の通信コンテンツをＸＨＴＭＬ基本ブラウザ１６へ渡す。第２の機能として、利用者に提供するＧＵＩ(Graphic User Interface)又は利用者からのイベントを制御する。第３の機能として、ＴＳのＤＳＭ−ＣＣカルーセルに含まれるＸＨＴＭＬコンテンツ等を、ＴＳ制御部１５下のＤＳＭ−ＣＣデコーダに解析させる。そして、その結果通知を受けて、コンテンツキャッシュ又はＸＨＴＭＬ基本ブラウザへコンテンツを渡す。この機能により、ＸＨＴＭＬコンテンツ閲覧のパフォーマンスや利用容易性の向上を実現している。
【００４２】
ＴＳ制御部１５は、アプリケーション管理部１４から受け取ったＴＳパケットの解析とMPEG4Video及びMPEG2AACの同期再生を行う。デマルチプレクサ１５１は、ＴＳ制御部１５から受け取ったＴＳをDSM-CC、MPEG4Video及びMPEG2AACの各ストリームに分離する。ＭＰＥＧ２ＡＡＣデコーダ１５２は、ＴＳ制御部１５から受け取ったMPEG2AACのストリームを再生する。ＭＰＥＧ４ビデオデコーダ１５３は、ＴＳ制御部１５から受け取ったMPEG4Videoのストリームを再生する。ＤＳＭ−ＣＣカルーセルデコーダ１５４は、ＴＳ制御部１５から受け取ったDSM-CCカルーセルのストリームを解析し、その解析結果と、新たなコンテンツが発見された場合の通知とを、アプリケーション管理部１４へ通知する。
【００４３】
ＸＨＴＭＬ基本ブラウザ１６は、アプリケーション管理部１４から受け取ったＸＨＴＭＬコンテンツなどを表示する。
【００４４】
図３は、本発明における端末１のフローチャートである。
【００４５】
（Ｓ１）端末１は、コマンドを受信した際に、そのコマンドを解析する。例えば、前述したコマンドによれば、「チャネル１について即時にＴＶ表示を起動する」と解析することができる。
（Ｓ２）端末１は、現在、放送コンテンツを受信し、ＴＶ表示中であるか否かを判断する。
（Ｓ３）ＴＶ表示中でないならば（ＮＯ）、まずＴＶを起動する。
（Ｓ４）その後、ＯＦＤＭモジュール１１に対してチャネル１を受信するべく要求する。
（Ｓ５）ＴＶ表示中であれば（ＹＥＳ）、現在、チャネル１の放送コンテンツを受信中であるか否かを判断する。チャネル１を受信中であれば（ＹＥＳ）、何ら操作する必要はない。
（Ｓ６）チャネル１の放送コンテンツを受信中でなければ（ＮＯ）、ＯＦＤＭモジュール１１に対してチャネル１を受信するべく、チャネル切替要求をする。
【産業上の利用可能性】
【００４６】
本発明は、地上波デジタル放送を適時に視聴することができる通信放送融合型端末に利用可能である。
【図面の簡単な説明】
【００４７】
【図１】本発明によるシステム構成図である。
【図２】端末１の具体的な機能構成図である。
【図３】本発明における端末１のフローチャートである。
【符号の説明】
【００４８】
１  端末、通信放送融合型端末
１０  オペレーティングシステム
１１  ＯＦＤＭモジュール
１２  通信モジュール
１３  コマンド解析エンジン
１４  アプリケーション管理部
１５  ＴＳ制御部
１５１  デマルチプレクサ
１５２  ＭＰＥＧ２ＡＡＣデコーダ
１５３  ＭＰＥＧ４ビデオデコーダ
１５４  ＤＳＭ−ＣＣカルーセルデコーダ
１６  ＸＨＴＭＬ基本ブラウザ
１７  ビデオＲＡＭ
１８  音声ＲＡＭ
２  放送サーバ
３  通信サーバ
【図１】
2005072946.tif 000003
【図２】
2005072946.tif 000004
【図３】
2005072946.tif 000005